(57)【要約】【課題】２枚のディスクプレートを接着する紫外線硬化樹脂を硬化させるための紫外線照射工程において使用する回転テーブルを、直径の異なる２種類のディスクに対して切り換え使用可能とし、この際、生産効率を落とすことなく、しかもディスク周縁のＵＶ樹脂の硬化が不十分とならないようにする。【解決手段】２枚のディスクプレートの間に夾んだＵＶ樹脂を紫外線照射によって硬化させる際に使用する回転テーブル（１０）において、１２ｃｍディスク載置部（１４ａ）を、回転テーブルの周方向に沿って等間隔で設けるとともに、１２ｃｍディスク載置部の間に、周方向に等間隔で８ｃｍディスク載置部（１４ｂ）を設けた。【選択図】    図１
2005034923.tif 000002
【特許請求の範囲】
【請求項１】
物品を載置する物品載置部を周方向に沿って配置し、前記物品に対して種々の処理を施す際に使用する円形の回転テーブルにおいて、
所定の大きさ又は形状の物品を載置する物品載置部を、前記テーブルの周方向に沿って等間隔で設けるとともに、前記周方向に等間隔で前記物品載置部の間に、前記物品と異なる大きさ又は形状の物品を載置する物品載置部を設けたことを特徴とする回転テーブル。
【請求項２】
ディスクに塗布した紫外線硬化樹脂を紫外線照射によって硬化させる際に使用する円形の回転テーブルにおいて、
所定直径のディスクを載置するディスク載置部を、前記回転テーブルの周方向に沿って等間隔で設けるとともに、前記周方向に等間隔で前記ディスク載置部の間に、前記ディスクと異なる直径のディスクを載置するディスク載置部を設けたことを特徴とする回転テーブル。
【請求項３】
２枚のディスクプレートの間に夾んだ紫外線硬化樹脂を紫外線照射によって硬化させてディスクを製造する際に使用する円形の回転テーブルにおいて、
１２ｃｍディスクを載置するディスク載置部を、前記回転テーブルの周方向に沿って等間隔で設けるとともに、前記周方向に等間隔で前記ディスク載置部の間に、８ｃｍディスクを載置するディスク載置部を設けたことを特徴とする回転テーブル。
【請求項４】
前記ディスク載置部は、前記回転テーブルに設けた開口に透明ガラスを取り付けたことを特徴とする請求項２又は３に記載の回転テーブル。
【請求項５】
前記透明ガラスの周縁には、前記ディスク載置部に載置したディスクの周縁付近へ紫外線を反射する反射鏡部を備えたことを特徴とする請求項４に記載の回転テーブル。
【請求項６】
前記反射鏡部は、前記透明ガラスと４５°の角度をなす錐面からなることを特徴とする請求項５に記載の回転テーブル。
【発明の詳細な説明】
【０００１】
【発明の属する技術分野】
本発明は、２枚のディスクプレートを接着して形成される２層構造のＤＶＤ（デジタルビデオディスク）等の光ディスクの製造過程において、２枚のディスクプレートを接着する接着剤を紫外線（ＵＶ）照射によって硬化させるときに、光ディスクを載置する回転テーブル（紫外線照射用テーブル）に関する。
【０００２】
【従来の技術】
２層構造のＤＶＤの製造工程には、２枚のディスクプレートの間に接着剤である紫外線硬化樹脂（以下、ＵＶ樹脂と略記する。）夾んで貼り合わせる貼り合わせ工程と、ＵＶ樹脂を紫外線照射によって硬化させる紫外線照射工程がある。この紫外線照射工程の際に、ＤＶＤを載置する回転テーブルとしては、図４に示したようなものが知られていた（下記特許文献１参照）。
【０００３】
この回転テーブル１００は、中心軸回りに回転する円板であり、図示しない貼り合わせ装置によって、接着剤が塗布された２枚のディスクプレートを貼り合わせたＤＶＤ１２２を載置するＤＶＤ載置部１０２を周方向に等間隔に複数個備えている。周方向の一箇所が、図示しない移載装置によってＤＶＤ１２２が投入される投入箇所１０４となっており、他の一箇所が、図示しない移載装置によってＤＶＤ１２２が搬出される搬出箇所１０６となっている。投入箇所１０４と搬出箇所１０６の間には、紫外線照射部１０８が設けられていて、ＤＶＤ載置部１０２に載置されたＤＶＤ１２２を紫外線照射部１０８で紫外線照射を行って、ＵＶ樹脂を硬化させていた。
【０００４】
また、図５に示したように、紫外線照射工程でのＵＶ樹脂の硬化を促進するため、ＤＶＤ載置部１０２は、周縁付近を凹面鏡１１２にするとともに、周縁以外を平面鏡１１４としたものもある（特許文献２参照）。
【０００５】
このような鏡面を有するＤＶＤ載置部１０２上に載置したＤＶＤ１２２を、真上の紫外線ランプ１２０により照射すると、紫外線ＵＶは、平面鏡１１４で真上へ反射して、再度ＤＶＤ１２２照射するとともに、凹面鏡１１２で反射した紫外線ＵＶは、ＤＶＤ１２２の周縁付近に集光する。こうして、ＤＶＤ１２２は、上からばかりでなく下からも周縁からも紫外線ＵＶ照射を受けるので、ＵＶ樹脂が早く硬化するとともに、周縁部からはみ出したＵＶ樹脂１２４もしっかりと硬化して、２枚のディスクプレート１２２ａ、１２２ｂが確実に接着するとともに、ＤＶＤ１２２の周縁端面が保護される。
【０００６】
【特許文献１】特開平９−３２６１４０号公報
【特許文献２】特開２０００−２６８４１６号公報
【０００７】
【発明が解決しようとする課題】
現在生産されているＤＶＤは、直径１２ｃｍのものが主流であるが、ゲーム用として直径８ｃｍのものもかなり生産されている。
【０００８】
ＤＶＤの製造過程には、２枚のディスクプレートを接着するＵＶ樹脂を硬化させるための紫外線照射工程があるが、１２ｃｍのＤＶＤと８ｃｍのＤＶＤに対して２種類の回転テーブルを用意することは、不経済である。
【０００９】
そこで、従来は、８ｃｍのＤＶＤに対しても、１２ｃｍのＤＶＤ用の回転テーブルを用いて、紫外線照射工程を行うこともあった。しかしながら、この場合は、ＤＶＤ載置部１０２の凹面鏡１１２は、１２ｃｍのＤＶＤ１２２の周縁付近に紫外線ＵＶを反射するように形成されているため、８ｃｍのＤＶＤ１２２に対しては、その周縁付近には紫外線ＵＶをうまく反射することができなくなり、ＤＶＤ１２２周縁のＵＶ樹脂の硬化が甘くなり、接着が不完全になりやすいという問題があった。
【００１０】
また、直径１２ｃｍのものと直径８ｃｍのものとの生産を切り換える度に、治具を交換することも行われた。この場合は、ＤＶＤ１２２周縁のＵＶ樹脂の硬化不足はなくなるものの、治具交換のために装置を停止する必要があり、ＤＶＤ載置部１０２の心出しにも時間がかかり、生産効率が悪化するという問題があった。
【００１１】
本発明は、前記問題に鑑みてなされたもので、２枚のディスクプレートを接着するＵＶ樹脂を硬化させるための紫外線照射工程において使用する回転テーブルを、１２ｃｍと８ｃｍというように直径の異なる複数種類のディスクに対して切り換え使用可能とし、この際、生産効率を落とすことなく、しかもディスク周縁のＵＶ樹脂の硬化が不十分とならないようにすることを課題とする。
【００１２】
【課題を解決するための手段】
上記の課題を解決するため、物品を載置する物品載置部を周方向に沿って配置し、前記物品に対して種々の処理を施す際に使用する円形の回転テーブルにおいて、所定の大きさ又は形状の物品を載置する物品載置部を、前記テーブルの周方向に沿って等間隔で設けるとともに、前記周方向に等間隔で前記物品載置部の間に、前記物品と異なる大きさ又は形状の物品を載置する物品載置部を設けたことを特徴とする。
【００１３】
（作用）最初に投入箇所に位置させる物品載置部を複数種類の物品のいずれかを載置する物品載置部に切り換えることにより、複数種類の物品のいずれにも対応しても、種々の処理を簡単に行うことができる。
【００１４】
請求項２に係る発明では、ディスクに塗布した紫外線硬化樹脂を紫外線照射によって硬化させる際に使用する回転テーブルにおいて、所定直径のディスクを載置するディスク載置部を、前記回転テーブルの周方向に沿って等間隔で設けるとともに、前記周方向に等間隔で前記ディスク載置部の間に、前記ディスクと異なる直径のディスクを載置するディスク載置部を設けたことを特徴とする。
【００１５】
（作用）最初に投入箇所に位置させるディスク載置部を大小複数種類のディスク載置部のいずれかに切り換えることにより、大小複数種類のディスクのいずれにも対応しても、周縁のＵＶ樹脂の硬化が不十分となることがないように、紫外線照射を行うことができる。
【００１６】
請求項３に係る発明では、２枚のディスクプレートの間に夾んだ紫外線硬化樹脂を紫外線照射によって硬化させてディスクを製造する際に使用する回転テーブルにおいて、１２ｃｍディスクを載置するディスク載置部を、前記回転テーブルの周方向に沿って等間隔で設けるとともに、前記周方向に等間隔で前記ディスク載置部の間に、８ｃｍディスクを載置するディスク載置部を設けたことを特徴とする。
【００１７】
（作用）最初に投入箇所に位置させるディスク載置部を１２ｃｍディスク用のディスク載置部か８ｃｍディスク用のディスク載置部に切り換えることにより、１２ｃｍディスクと８ｃｍディスククのいずれにも対応して、周縁のＵＶ樹脂の硬化が不十分となることがないように、紫外線照射を行うことができる。
【００１８】
請求項４に係る発明では、請求項２又は３に係る発明において、前記ディスク載置部は、前記回転テーブルに設けた開口に透明ガラスを取り付けたことを特徴とする。
【００１９】
（作用）透明ガラス上に載置したディスクに対して、上ばかりでなく下からも紫外線を照射できるので、熱変形が起きにくくなる。
【００２０】
請求項５に係る発明では、請求項４に係る発明において、前記透明ガラスの周縁には、前記ディスク載置部に載置したディスクの周縁付近へ紫外線を反射する反射鏡部を備えたことを特徴とする。
【００２１】
（作用）反射鏡部によってディスクの周縁付近へ紫外線が反射されるので、ディスク周縁付近のＵＶ樹脂の硬化が確実になる。
【００２２】
請求項６に係る発明では、請求項５に係る発明において、前記反射鏡部は、前記透明ガラスと４５°の角度をなす錐面からなることを特徴とする。
【００２３】
（作用）ディスクに紫外線照射する際、ディスクの周縁部からはみ出して周縁端面を被覆するＵＶ樹脂全体を一様に紫外線照射できるので、いっそう確実に、周縁付近のＵＶ樹脂を硬化し、かつディスクの周縁端面を保護できる。
【００２４】
【発明の実施の形態】
以下、本発明の好適な実施例を添付図面に基づいて説明する。図１は、本実施例の回転テーブルの平面図である。図２は、前記回転テーブルの正面図である。図３は、図１におけるＩＩＩ−ＩＩＩ線に沿う断面図である。
【００２５】
図１及び図２に示したように、本実施例の、回転テーブル１０は、中心軸１２を図示しない駆動モータに直結し、中心軸１２回りに回転する円板である。そして、回転テーブル１０には、図示しない貼り合わせ装置によって、ＵＶ樹脂が塗布された２枚のディスクプレートＤ１、Ｄ２を互いに貼り合わせた光ディスクＤを載置するディスク載置部１４ａ、１４ｂを、周方向に等間隔に８個備えている。しかも、１２ｃｍディスクを載置する１２ｃｍディスク載置部１４ａを、回転テーブル１０の周方向に沿って９０°間隔で設けるとともに、８ｃｍディスクを載置する８ｃｍディスク載置部１２ｂも、回転テーブル１０の周方向に沿って９０°間隔で、１２ｃｍディスク載置部１２ａの間に設けている。
【００２６】
回転テーブル１０については、周方向の一箇所が、図示しない移載装置によって光ディスクＤが投入される投入箇所１６となっており、他の一箇所が、図示しない移載装置によって光ディスクが搬出される搬出箇所１８となっている。投入箇所１６を回転テーブル１０の軸回りに９０°回転させたところに、紫外線照射部２０が設けられている。
【００２７】
したがって、投入箇所１６で光ディスクＤを搭載した後に、回転テーブル１０を９０°回転すると、光ディスクＤが紫外線照射部２０に位置するので、光ディスクＤに紫外線照射を行うことができる。同時に、投入箇所１４では新たな光ディスクＤを搭載するとともに、排出箇所１８では、１回前に投入されて紫外線照射の済んだ光ディスクＤを排出することができる。以下同様に、回転テーブル１０を９０°回転する度に、光ディスクＤの投入、紫外線ＵＶ照射、光ディスクＤの排出が同時に行われる。
【００２８】
ここで、最初に投入箇所１６に位置させるディスク載置部を１２ｃｍディスク載置部１４ａか８ｃｍディスク載置部１４ｂのいずれかに切り換えること、すなわち、回転テーブル１０の初期位置を４５°変更することにより、１２ｃｍディスクと８ｃｍディスククのいずれにも対応して、紫外線ＵＶ照射を行うことができる。
【００２９】
図３に基いて、ディスク載置部１４ａ、１４ｂの構成について説明する。ディスク載置部１４ａ、１４ｂとして、回転テーブル１０には、２つの段３０、３２の付いた円形の開口３４が設けられ、この開口３４の下側の段３２にビス４０によって固定されたリング状のガラス固定枠３８によって、光ディスクＤを載置するための透明ガラス３６が支持されている。透明ガラス３６が紫外線ＵＶを透過させるため、光ディスクＤは、下方からも紫外線ＵＶ照射が可能となる。
【００３０】
ガラス固定枠３８の上面には、ディスク載置部１４ａ、１４ｂに載置した光ディスクＤの周縁付近へ紫外線ＵＶを反射するリング状の反射鏡部４２がビス４４によって固定されている。ガラス固定枠３８の内周縁の下面側には段４６が形成されている。透明ガラス３６の周縁は、反射鏡部４２の下面とガラス固定枠３８の段４６の間に夾持される。透明ガラス３６の中心には、光デイスクＤを載置する際の心合わせ部材４８が固定されている。
紫外線照射部２０においては、回転テーブル１０の上下に紫外線ランプ２２が設置される。上下から均一に紫外線ＵＶを照射するので、ＵＶ樹脂を速く硬化させるため、紫外線ＵＶを強くしても、光ディスクＤの熱変形が抑止される。
【００３１】
ところで、本発明は、前記実施例に限定されず、種々の変形が可能である。
例えば、前記実施例では、１２ｃｍ光ディスクと８ｃｍ光ディスクとを切り換え自在としたが、前記光ディスクＤと同じ構造のディスクであれば、大小複数種類のディスクいずれかに切り換え自在と変更することも可能である。
【００３２】
また、前記実施例では、反射鏡部３４を縦断面内において凹面鏡としたが、工作を容易にするため、反射鏡部３４を透明ガラス３６に対して４５°傾けた錐面としてもよい。この場合、縦断面内においては、紫外線ＵＶは、平行光線のまま、光ディスクＤの周縁付近に反射するので、光ディスクＤの周縁部の一箇所に凹面鏡で紫外線ＵＶを集光させるものよりも、光ディスクＤの周縁部からはみ出して周縁端面を被覆するＵＶ樹脂全体を一様に照射するので、いっそう、周縁付近の接着を強固にするとともに、周縁端面を確実に保護できる。
【００３３】
さらに、前記実施例の回転テーブル１０は、光ディスクＤに対して紫外線照射処理を行うものであったが、ディスク載置部１４ａ、１４ｂを光ディスクＤ以外の物品を載置する物品載置部に変更することによって、紫外線照射以外にも乾燥、塗装、印刷、測定等、種々の処理に用いることができるように変更することができる。
【００３４】
【発明の効果】
以上の説明から明らかなように、請求項１に係る発明によれば、載置した物品に対して種々の処理を施す際に使用する回転テーブルにおいて、複数種類の物品の物品載置部を交互にかつ等間隔に設けたから、最初に投入箇所に位置させる物品載置部を切り換えることにより、複数種類の物品のいずれにも対応して、種々の作業を生産効率を落とすことなく行うことができる。
【００３５】
請求項２に係る発明によれば、載置したディスクに紫外線照射を行う際に使用する回転テーブルにおいて、大小複数種類のディスク用のディスク載置部を交互にかつ等間隔に設けたから、最初に投入箇所に位置させるディスク載置部を切り換えることにより、大小複数種類のディスクのいずれにも対応して、紫外線照射を行うことができ、この際、生産効率を落とすことなく、しかも、ディスク周縁のＵＶ樹脂の硬化が不十分となることもない。
【００３６】
請求項３に係る発明によれば、載置したディスクに紫外線照射を行う際に使用する回転テーブルにおいて、１２ｃｍディスク載置部とを、８ｃｍディスク載置部とを交互にかつ等間隔に設けたから、最初に投入箇所に位置させるディスク載置部を切り換えることにより、１２ｃｍディスクと８ｃｍディスククのいずれにも対応して、紫外線照射工程を行うことができ、この際、生産効率を落とすことなく、しかも、ディスク周縁のＵＶ樹脂の硬化が不十分となることもない。
【００３７】
請求項４に係る発明によれば、さらに、ディスク載置部は回転テーブルに設けた開口に透明ガラスを取り付けたものであるから、ディスクに上下両方から紫外線を照射して、ＵＶ樹脂の硬化を速くしても、ディスクの熱変形が防止できる。
【００３８】
請求項５に係る発明によれば、さらに、ディスク載置部に載置したディスクの周縁付近へ紫外線を反射する反射鏡部を透明ガラスの周縁に備えたから、ディスク周縁付近のＵＶ樹脂の硬化が確実になる。
【００３９】
請求項６に係る発明によれば、さらに、反射鏡部は、透明ガラスと４５°の角度をなす錐面からなるから、反射鏡部の製造が容易になるうえ、ディスクの周縁部からはみ出して周縁端面を被覆するＵＶ樹脂全体を一様に照射するので、いっそう、周縁付近の接着を強固にするとともに、周縁端面を確実に保護できる。
【図面の簡単な説明】
【図１】本発明の一実施例に係る回転テーブルの平面図である。
【図２】前記回転テーブルの正面図である。
【図３】図１におけるＩＩＩ−ＩＩＩ線に沿う断面図である。
【図４】従来の回転テーブルの一例を示す平面図である。
【図５】従来の回転テーブルを鏡面とした例を示す縦断面図である。
【符号の説明】
１０      回転テーブル
１４ａ、１４ｂ  ディスク載置部
２０      紫外線照射部
３６      透明ガラス
４２      反射鏡部
Ｄ      光ディスク
Ｄ１、Ｄ２    ディスクプレート
ＵＶ      紫外線
【図１】
2005034923.tif 000003
【図２】
2005034923.tif 000004
【図３】
2005034923.tif 000005
【図４】
2005034923.tif 000006
【図５】
2005034923.tif 000007